(57)【要約】  金属アダプタ３と、金属アダプタ３の穴部２０ａ〜２０ｃの周縁部に環状の絶縁部材１０を介して取り付けられて中心導体２ａ〜２ｃの外周を包囲する円筒状の中間電極５ａ〜５ｃと、軸線方向に沿って中間電極５ａ〜５ｃと隣り合うようにそれぞれ配置された略円筒状の接地シールド４ａ〜４ｃと，金属容器１の側面に設けられた枝管に装着され、中間電極５ａ〜５ｃとそれぞれ接続されたリード線を気密に引き出す絶縁密封端子を備え、中間電極５ａ〜５ｃの内径はそれぞれ接地シールド４ａ〜４ｃの内径よりも大きい計器用変圧器を提供する。
2012160625.tif 000002
【特許請求の範囲】
【請求項１】
絶縁ガスが封入された円筒状の金属容器内に当該金属容器の軸線方向に沿って三相の中心導体が収納された三相一括形のガス絶縁開閉装置に適用され、前記三相の中心導体にそれぞれ印加された電圧を計測する計器用変圧器であって、
前記金属容器に取り付けられ、前記三相の中心導体がそれぞれ貫通する３つの穴部が形成された金属アダプタと、
前記金属アダプタの各穴部の周縁部に環状の絶縁部材を介して取り付けられ、前記各穴部を貫通する各相の中心導体の外周を包囲するようにそれぞれ配置された円筒状の中間電極と、
前記軸線方向に沿って各相の中間電極と隣り合うようにそれぞれ配置され、当該中間電極を貫通する中心導体の外周を包囲するようにして当該中間電極と同軸的に配置された略円筒状の接地シールドと、
前記金属容器の側面に設けられた枝管に装着され、前記各相の中間電極とそれぞれ接続されたリード線を気密に引き出す絶縁密封端子
を備え、
前記各相の中間電極の内径は、当該中間電極と前記軸線方向において隣り合う前記接地シールドの内径よりも大きいことを特徴とする計器用変圧器。
【請求項２】
前記中間電極を挟んで前記軸線方向の両側に前記接地シールドが配置されていることを特徴とする請求項１に記載の計器用変圧器。
【請求項３】
前記中間電極の片側に配置された前記接地シールドと前記中間電極との間には、ガスギャップが設けられていることを特徴とする請求項２に記載の計器用変圧器。
【請求項４】
前記中間電極の内径は、前記絶縁部材の内径よりも大きいことを特徴とする請求項１に記載の計器用変圧器。
【請求項５】
前記接地シールドの前記軸線方向の長さは、当該接地シールドに隣り合う前記中間電極の前記軸線方向の長さ以上であることを特徴とする請求項１に記載の計器用変圧器。
【発明の詳細な説明】
【技術分野】
【０００１】
本発明は、三相一括形のガス絶縁開閉装置に適用される計器用変圧器に関するものである。
【背景技術】
【０００２】
三相一括形のガス絶縁開閉装置では、絶縁ガスを封入した金属容器内に、三相の導体が一括して収納されている。計器用変圧器は、各相の導体の電圧を計測するものである。三相一括形のガス絶縁開閉装置に適用される計器用変圧器には、各相の導体を同軸的に取り囲む環状の中間電極を利用した構成がある（例えば、特許文献１の図８参照）。このような構成では、一般に自相の中間電極は他相の導体による電界の影響を受けやすく、他相の電圧誘導による測定誤差が大きくなり、一般的に高い測定精度を要求される仕様には適さないことがある。【０００３】
そこで、特許文献１の図１に記載された計器用変圧器では、金属容器の側壁部にて各相の導体にそれぞれ対向する位置に中間電極収納室としての枝管が設けられ、各枝管内に各相の中間電極を配置している。このような構成では、他相の電界の影響を少なくして各相の電圧の測定精度を向上させることができる。【０００４】
また、特許文献２では、各相の導体をそれぞれ包囲するように筒状の接地シールドが設けられ、各接地シールドの内側には導体を周回する筒状の中間電極が配置された計器用変圧器が開示されている。
【先行技術文献】
【特許文献】
【０００５】
【特許文献１】実開平５−６３７６号公報
【特許文献２】特開平２−１１５７７０号公報
【発明の概要】
【発明が解決しようとする課題】
【０００６】
しかしながら、例えば特許文献１の図８の計器用変圧器では、自相の中間電極は他相の導体による電界の影響を受けることから、他相の誘導電圧による誤差が大きく、各相の電圧を正確に計測することが困難であるという問題があった。【０００７】
また、特許文献１の図１の計器用変圧器では、各相の中間電極はそれぞれ対応相の導体と対向するだけの形態であることから、例えば特許文献１の図８のような導体の周りに中間電極を同軸的に配置した構成と比較すると、電圧検出の感度が低下することになり、より精度の要求される仕様への適用が制限される可能性がある。また、この構成では、各相ごとに中間電極収納用の枝管を設ける必要があることから、計器用変圧器用として金属容器に３個の枝管を設けなければならない。【０００８】
また、特許文献２の計器用変圧器では、接地シールドの内側でかつ導体側に中間電極が配置されているので、中間電極と導体との間の絶縁距離を確保する必要から、金属容器の径方向の寸法が大きくなるという問題があった。【０００９】
本発明は、上記に鑑みてなされたものであって、三相一括形のガス絶縁開閉装置に適用される計器用変圧器であって、他相の導体による電界の影響を緩和させて自相の電圧を高い精度で検出可能であるとともに金属容器の径方向の寸法を縮小化することが可能な計器用変圧器を提供することを目的とする。
【課題を解決するための手段】
【００１０】
上述した課題を解決し、目的を達成するために、本発明に係る計器用変圧器は、絶縁ガスが封入された円筒状の金属容器内に当該金属容器の軸線方向に沿って三相の中心導体が収納された三相一括形のガス絶縁開閉装置に適用され、前記三相の中心導体にそれぞれ印加された電圧を計測する計器用変圧器であって、前記金属容器に取り付けられ、前記三相の中心導体がそれぞれ貫通する３つの穴部が形成された金属アダプタと、前記金属アダプタの各穴部の周縁部に環状の絶縁部材を介して取り付けられ、前記各穴部を貫通する各相の中心導体の外周を包囲するようにそれぞれ配置された円筒状の中間電極と、前記軸線方向に沿って各相の中間電極と隣り合うようにそれぞれ配置され、当該中間電極を貫通する中心導体の外周を包囲するようにして当該中間電極と同軸的に配置された略円筒状の接地シールドと、前記金属容器の側面に設けられた枝管に装着され、前記各相の中間電極とそれぞれ接続されたリード線を気密に引き出す絶縁密封端子を備え、前記各相の中間電極の内径は、当該中間電極と前記軸線方向において隣り合う前記接地シールドの内径よりも大きいことを特徴とする。
【発明の効果】
【００１１】
本発明によれば、三相一括形のガス絶縁開閉装置に適用される計器用変圧器であって、他相の導体による電界の影響を緩和させて自相の電圧を高い精度で検出可能であるとともに金属容器の径方向の寸法を縮小化することができる、という効果を奏する。
【図面の簡単な説明】
【００１２】
【図１】図１は、実施の形態１に係る計器用変圧器の横断面構成を示す図である。
【図２】図２は、図１のＡ−Ａ線による縦断面構成図である。
【図３】図３は、図２のＢ部詳細図である。
【図４】図４は、図３の一部を拡大した図である。
【図５】図５は、印加電圧のパターンを示した図である。
【図６】図６は、ｄ寸法と他相誘導による誤差及び静電容量αとの関係を示した図である。
【図７】図７は、実施の形態２に係る計器用変圧器の縦断面構成の一部を示す図である。
【図８】図８は、ｂ寸法と他相誘導による誤差及び静電容量αとの関係を示した図である。
【図９】図９は、実施の形態３に係る計器用変圧器の縦断面構成の一部を示す図である。
【図１０】図１０は、接地シールド４ａの軸線方向の長さＤに対して、他相誘導による誤差を示した図である。
【図１１】図１１は、Ａ−Ａ線による別の縦断面構成図である。
【図１２】図１２は、図１１のＢ部詳細図である。
【発明を実施するための形態】
【００１３】
以下に、本発明に係る計器用変圧器の実施の形態を図面に基づいて詳細に説明する。なお、この実施の形態によりこの発明が限定されるものではない。
【００１４】
実施の形態１．
図１は本実施の形態に係る計器用変圧器の横断面構成を示す図、図２は図１のＡ−Ａ線による縦断面構成図、図３は図２のＢ部詳細図である。
【００１５】
図１〜図３では、三相一括形のガス絶縁開閉装置に適用される計器用変圧器の構成を示している。例えばＳＦ６ガス等の絶縁ガスが封入された筒状の金属容器１内には、三相の中心導体２ａ〜２ｃが一括して収納されている。金属容器１は例えば円筒状であり、接地されている。金属容器１の中心軸方向に中心導体２ａ〜２ｃがそれぞれ延設されている。金属容器１の中心軸と中心導体２ａ〜２ｃの各中心軸は互いに平行なので、以下ではこれらの中心軸の方向を単に「軸線方向」という。中心導体２ａ〜２ｃは高電圧の充電部である主回路導体である。中心導体２ａ〜２ｃは例えば正三角形の頂点を成すように配置されている。中心導体２ａ〜２ｃが例えば二等辺三角形の頂点を成すように配置されていてもよい。なお、中心導体２ａ〜２ｃは図示しない絶縁支持体（例えば絶縁スペーサ）で支持されている。また、図１では、中心導体２ａ〜２ｃの断面を稠密に記載しているが、例えば円管状であってもよい。
【００１６】
本実施の形態の計器用変圧器は、中心導体２ａ〜２ｃがそれぞれ貫通する穴部２０ａ〜２０ｃを有する例えば略円板状の金属アダプタ３と、金属アダプタ３の穴部２０ａの周縁部に絶縁部材１０を介して取り付けられ中心導体２ａの外周を包囲するように中心導体２ａと同軸的に配置された中間電極５ａと、軸線方向に沿って中間電極５ａと隣り合うように配置され中心導体２ａの外周を包囲するように中心導体２ａと同軸的に配置された接地シールド４ａと、中間電極５ａに接続されたリード線である信号線６ａと、金属アダプタ３の穴部２０ｂの周縁部に絶縁部材１０を介して取り付けられ中心導体２ｂの外周を包囲するように中心導体２ｂと同軸的に配置された中間電極５ｂと、軸線方向に沿って中間電極５ｂと隣り合うように配置され中心導体２ｂの外周を包囲するように中心導体２ｂと同軸的に配置された接地シールド４ｂと、中間電極５ｂに接続されたリード線である信号線６ｂと、金属アダプタ３の穴部２０ｃの周縁部に絶縁部材１０を介して取り付けられ中心導体２ｃの外周を包囲するように中心導体２ｃと同軸的に配置された中間電極５ｃと、軸線方向に沿って中間電極５ｃと隣り合うように配置され中心導体２ｃの外周を包囲するように中心導体２ｃと同軸的に配置された接地シールド４ｃと、中間電極５ｃに接続されたリード線である信号線６ｃと、金属容器１の側面に設けられた枝管１４に装着されるとともに信号線６ａ〜６ｃを金属容器１の外部に気密に引き出す絶縁気密端子７と、この絶縁気密端子７に接続され信号線６ａ〜６ｃを介して出力される中間電極５ａ〜５ｃの各電圧値から中心導体２ａ〜２ｃの各電圧値を検出した後にこれらをデジタル信号に変換して出力するＡＤ変換部８と、を備えている。
【００１７】
本実施の形態の計器用変圧器は、金属容器１とは電気的に絶縁した中間電極５ａ〜５ｃにそれぞれ誘起される電圧を外部に導出し、これらの誘導電圧から中心導体２ａ〜２ｃの各電圧を算出するいわゆるコンデンサ分圧器を構成するものである。例えば、中心導体２ａの電圧は、中心導体２ａと中間電極５ａとの間の静電容量と、中間電極５ａと金属容器１との間の静電容量とに応じて、中間電極５ａの電圧として分圧される。そこで、中心導体２ａと中間電極５ａとの間の静電容量を予め求めておけば、中間電極５ａの電圧を検出することにより、中心導体２ａの電圧を検出することができる。なお、実際には、中間電圧５ａに誘起する電圧を適正な電圧値とするために、例えば絶縁気密端子７と金属容器１との間に調整コンデンサ（図示せず）を設けるなどする。中心導体２ｂ，２ｃについても同様である。
【００１８】
金属アダプタ３は、例えば金属容器１の内径よりもわずかに小径の円板状であり、接合部９により金属容器１に接合されている。金属アダプタ３は、中心導体２ａ〜２ｃの配置に応じて形成された三つの穴部２０ａ〜２０ｃを有し、穴部２０ａ〜２０ｃはそれぞれ中心導体２ａ〜２ｃの外径よりも大きな径を有する。そして、中心導体２ａ〜２ｃはいずれも金属アダプタ３に接触しないように配置されている。中心導体２ａ〜２ｃは、それぞれ穴部２０ａ〜２０ｃを介して、金属アダプタ３を略垂直に貫通している。
【００１９】
金属アダプタ３の穴部２０ａの周縁部には、略環状の絶縁部材１０が取り付けられ、この絶縁部材１０を介して例えば円筒状の中間電極５ａが中心導体２ａの外周を包囲するようにして金属アダプタ３に取り付けられている。即ち、中間電極５ａは、絶縁部材１０により、金属容器１と電気的に絶縁されている。中間電極５ａ及び絶縁部材１０は、例えばボルト等により、金属アダプタ３に取り付けられている。同様に、金属アダプタ３の穴部２０ｂの周縁部には、略環状の絶縁部材１０が取り付けられ、この絶縁部材１０を介して例えば円筒状の中間電極５ｂが中心導体２ｂの外周を包囲するようにして金属アダプタ３に取り付けられている。即ち、中間電極５ｂは、絶縁部材１０により、金属容器１と電気的に絶縁されている。中間電極５ｂ及び絶縁部材１０は、例えばボルト等により、金属アダプタ３に取り付けられている。同様に、金属アダプタ３の穴部２０ｃの周縁部には、略環状の絶縁部材１０が取り付けられ、この絶縁部材１０を介して例えば円筒状の中間電極５ｃが中心導体２ｃの外周を包囲するようにして金属アダプタ３に取り付けられている。即ち、中間電極５ｃは、絶縁部材１０により、金属容器１と電気的に絶縁されている。中間電極５ｃ及び絶縁部材１０は、例えばボルト等により、金属アダプタ３に取り付けられている。なお、絶縁部材１０は同一の符号を付してはいるが、上記説明と図１、図２から明らかなように、中間電極５ａ〜５ｃに応じて３つ設けられている。
【００２０】
接地シールド４ａは、例えば略円筒状で、中心導体２ａの外周を包囲するように中心導体２ａと同軸的に配置されている。接地シールド４ａは、軸線方向に沿って中間電極５ａと隣り合うように配置されている。接地シールド４ａは、中間電極５ａ側のその一端にフランジ部４１が形成され、中間電極５ａと反対側のその他端は電界集中を緩和するため所定の曲率で滑らかに外周に向けて広がる形状の湾曲部４２である。図示例では、一対の接地シールド４ａが設けられ、これらの接地シールド４ａは、軸線方向に中間電極５ａを挟むように中間電極５ａの両側に配置されている。ここで、一対の接地シールド４ａのうちの一方は、そのフランジ部４１が中間電極５ａの一端部と空隙部１３を介して対向して配置され、一対の接地シールド４ａのうちの他方は、そのフランジ部４１が金属アダプタ３の絶縁部材１０が配置された面と対向する面上に配置され、一対の接地シールド４ａはいずれも例えばボルト等により金属アダプタ３に取り付けられている。例えば、上記一方の接地シールド４ａは、中間電極５ａの軸線方向の長さよりも長寸のボルト１１により金属アダプタ３に取り付けられている。空隙部１３は、上記一方の接地シールド４ａと中間電極５ａを絶縁するガスギャップである。中間電極５ａは、絶縁部材１０および空隙部１３により、金属容器１から絶縁されている。三相一括形のガス絶縁開閉装置では、自相の中間電極５ａは他相の中心導体２ｂ，２ｃの電界の影響を受けることとなるが、接地シールド４ａは、他相の中心導体２ｂ，２ｃで発生する電界の影響を緩和することができる。なお、接地シールド４ｂ，４ｃについても同様であるのでこれらについての説明は省略する。
【００２１】
中間電極５ａの内径は、例えば接地シールド４ａの内径よりも大きい。同様に、中間電極５ｂの内径は例えば接地シールド４ｂの内径よりも大きく、中間電極５ｃの内径は例えば接地シールド４ｃの内径よりも大きい。図４は、図３の一部を拡大した図であり、中間電極５ａの内径が接地シールド４ａの内径よりも大きく、ｄ＝（中間電極５ａの内径−接地シールド４ａの内径）／２＞０である。
【００２２】
ここで、中間電極５ａ〜５ｃの内径を、それぞれ接地シールド４ａ〜４ｃの内径よりも大きく設定することの効果について説明する。図５は、印加電圧のパターンを示した図であり、中間電極５ａと中心導体２ａとの間の静電容量が中心導体２ｂ，２ｃの電圧による影響により変化することを説明するための図である。印加電圧（１）は、中心導体２ａの電圧が１００％で、中心導体２ｂ，２ｃの電圧がそれぞれ０％のときで、この場合の中間電極５ａと中心導体２ａとの間の静電容量をα（Ｆ）とする。即ち、αは、中心導体２ｂ，２ｃからの電界の影響がない場合の静電容量を表している。これに対して、印加電圧（２）は、中心導体２ａの電圧が１００％で、中心導体２ｂ，２ｃの電圧がそれぞれ−５０％のときで、この場合の中間電極５ａと中心導体２ａとの間の静電容量をβ（Ｆ）とする。即ち、βは、他相である中心導体２ｂ，２ｃからの電界の影響が最も大きい場合の静電容量を表している。そうすると、中間電極５ａの電圧に基づく中心導体２ａの電圧計測値の他相誘導による誤差は、次のように定義することができる：
他相誘導による誤差（％）＝（α−β）／α×１００  ・・・（１）
つまり、（１）式では、他相からの電界の影響が最も大きい場合の静電容量βと、他相からの電界の影響が存在しない場合の静電容量αを用いて、他相誘導による誤差を評価している。なお、（１）式による定義は、中間電極５ｂ，５ｃについても同様である。例えば、中間電極５ｂの電圧に基づく中心導体２ｂの電圧計測値の他相誘導による誤差は、中心導体２ｂの電圧が１００％でかつ中心導体２ａ，２ｃの電圧がそれぞれ０％のときの静電容量αと、中心導体２ｂの電圧が１００％でかつ中心導体２ａ，２ｃの電圧がそれぞれ−５０％のときの静電容量βとにより、（１）式で定義される。
【００２３】
図６は、ｄ＝（中間電極５ａの内径−接地シールド４ａの内径）／２に対して、他相誘導による誤差及び静電容量αを示した図である。実線は、他相誘導による誤差を表し、点線は、静電容量αを表す。図６に示すように、ｄ寸法が増大するにつれて、静電容量αは減少するものの、他相誘導による誤差も減少することがわかる。よって、ｄ＞０と設定することにより、他相誘導による誤差を抑制して、自相の中心導体２ａの電圧をより正確に計測することができる。なお、図６は、中間電極５ｂ，５ｃについても成り立つことはいうまでもない。
【００２４】
以上説明したように、本実施の形態によれば、中間電極５ａ〜５ｃの内径をそれぞれ接地シールド４ａ〜４ｃの内径よりも大きくするようにしたので、他相の中心導体で発生する電界の影響を抑制し、自相の中心導体の電圧をより高い精度で計測することができる。
【００２５】
また、本実施の形態によれば、中間電極５ａ〜５ｃはそれぞれ中心導体２ａ〜２ｃを周回するよう円筒状に配置したので、例えば特許文献１の図１の中間電極と比較して面積が大きくなり、よって、電圧検出の感度が高くなる。また、特許文献１の図１では、金属容器に中間電極収納用の枝管を３個設ける必要があるが、本実施の形態では、枝管１４の個数は１個でよいので、金属容器１の加工が容易となる。
【００２６】
また、特許文献２の計器用変圧器では、接地シールドの内側でかつ導体側に中間電極が配置されているので、中間電極と導体との間の絶縁距離を確保する必要から、金属容器の径方向の寸法が大きくなるという問題があった。これに対し、本実施の形態では、中間電極５ａ〜５ｃの内径をそれぞれ接地シールド４ａ〜４ｃの内径よりも大きくするようにしたので、金属容器１の径方向の寸法は、特許文献２の計器用変圧器と比べて小さくすることができる。
【００２７】
また、本実施の形態によれば、中間電極５ａと接地シールド４ａとが軸線方向に沿って隣り合うように配置され、中間電極５ｂと接地シールド４ｂとが軸線方向に沿って隣り合うように配置され、中間電極５ｃと接地シールド４ｃとが軸線方向に沿って隣り合うように配置されるようにしたので、特許文献２の計器用変圧器のように接地シールドの内側に中間電極が配置された構成と比較して、絶縁距離を確保することができ、金属容器１の径方向の寸法を小さくすることができる。
【００２８】
また、本実施の形態によれば、例えば一対の接地シールド４ａの一方と中間電極５ａとの間にガスギャップとしての空隙部１３を設けるようにしたので、一対の接地シールド４ａの他方と中間電極５ａとの間のように絶縁部材１０を設ける必要がなく、中間電極５ａの片側の絶縁部材を省略して構造を簡素化することができる。なお、空隙部１３を設けずに、一対の接地シールド４ａの双方と中間電極５ａとの間のいずれにも絶縁部材を配置する構成も可能である。図１１は、Ａ−Ａ線による別の縦断面構成図であり、図１２は、図１１のＢ部詳細図である。図１１及び図１２に示すように、中間電極５ａと金属アダプタ３との間には例えば環状の絶縁部材１０が配置され、一対の接地シールド４ａの一方と中間電極５ａとの間には例えば環状の絶縁部材１２が配置されている。図１１及び図１２の構成は、上記構造の簡素化を除けば、本実施の形態と同様の効果を有する。なお、中間電極５ｂ，５ｃについても同様である。
【００２９】
また、本実施の形態によれば、中間電極５ａを挟んで軸線方向の両側に接地シールド４ａを配置したので、他相の中心導体２ｂ，２ｃで発生する電界の影響を抑制し、自相の中心導体２ａの電圧を高い精度で計測することができる。なお、接地シールド４ａは、中間電極５ａの両側に配置する構成が好ましいが、中間電極５ａのいずれか片側のみに配置することも可能である。なお、中間電極５ｂ，５ｃについても同様である。
【００３０】
接地シールド４ａを設けない場合は、金属アダプタ３の周辺での電界を緩和する必要がある。本実施の形態のように、接地シールド４ａを設けることにより、金属アダプタ３の周辺での電界緩和及び他相の中心導体２ｂ，２ｃで発生する電界の影響の緩和の双方を実現することができる。なお、中間電極５ｂ，５ｃについても同様である。
【００３１】
実施の形態２．
図７は、本実施の形態に係る計器用変圧器の縦断面構成の一部を示す図であり、図４と対比すべき図である。本実施の形態は、実施の形態１の構成のもとで、更に中間電極５ａ〜５ｃの内径と絶縁部材１０の内径との関係を規定したものである。即ち、図７に示すように、金属アダプタ３と中間電極５ａとの間に介在する環状の絶縁部材１０の内径は、中間電極５ａの内径よりも小さく（Ｐ領域を参照）、ｂ＝（中間電極５ａの内径−絶縁部材１０の内径）／２＞０である。なお、同様の関係は、中間電極５ｂとこれに接触する絶縁部材１０、及び中間電極５ｃとこれに接触する絶縁部材１０についてもそれぞれ成り立つ。これに対し、実施の形態１では、絶縁部材１０の内径は中間電極５ａの内径と略等しい。本実施の形態のその他の構成は実施の形態１と同様である。
【００３２】
図８は、ｂ＝（中間電極５ａの内径−絶縁部材１０の内径）／２＞０に対して、他相誘導による誤差及び静電容量αを示した図である。実線は、他相誘導による誤差を表し、点線は、静電容量αを表す。図８に示すように、ｂ寸法が増大するにつれて、静電容量αは減少するものの、他相誘導による誤差も減少することがわかる。よって、ｂ＞０に設定することにより、他相誘導による誤差を抑制して、自相の中心導体２ａの電圧をより正確に計測することができる。なお、図８は、中間電極５ｂ，５ｃについても成り立つことはいうまでもない。
【００３３】
本実施の形態によれば、中間電極５ａ〜５ｃの内径をそれぞれ絶縁部材１０の内径よりも大きくしたので、他相の中心導体で発生する電界の影響を抑制し、自相の中心導体の電圧を高い精度で計測することができる。本実施の形態のその他の効果は実施の形態１と同様である。
【００３４】
実施の形態３．
図９は、本実施の形態に係る計器用変圧器の縦断面構成の一部を示す図であり、図４と対比すべき図である。本実施の形態は、実施の形態１の構成のもとで、更に、例えば中間電極５ａの軸線方向の長さと接地シールド４ａの軸線方向の長さの関係を規定したものである。即ち、図９に示すように、中間電極５ａの軸線方向の長さをＣとし、接地シールド４ａの軸線方向の長さをＤとしたときに、本実施の形態ではＤ≧Ｃとする。なお、同様の関係は、中間電極５ｂと接地シールド４ｂ、及び中間電極５ｃと接地シールド４ｃについてもそれぞれ成り立つ。
【００３５】
図１０は、接地シールド４ａの軸線方向の長さＤに対して、他相誘導による誤差を示した図である。図１０では、Ｃ寸法が小、中、大の三つの場合に対して、Ｄ寸法と他相誘導による誤差との関係を示している。また、他相誘導による誤差の目標値をＱで表している。目標値Ｑは、誤差がこの値以下になったときに電圧の測定精度が要求仕様内に収まるような値である。図１０に示すように、Ｄ寸法が増大するにつれて、他相誘導による誤差も減少することがわかる。Ｃ寸法が小、中、大の三つの場合の比較では、Ｃ寸法が大きいほど誤差は小さい。このように、接地シールド４ａの軸線方向の長さを大きくすれば、他相誘導による誤差を抑制することができるが、中間電極５ａの軸線方向の長さとの対比からは、例えばＤ≧Ｃとすることが効果的である。
【００３６】
また、図１０において、Ｒで示した領域では、Ｃ寸法の大、中、小の三つのパターンにかかわらず、他相誘導による誤差が目標値Ｑに略等しくなっている。なお、上記説明は、接地シールド４ｂと中間電極５ｂとの関係、及び接地シールド４ｃと中間電極５ｃとの関係にも成り立つことはいうまでもない。
【００３７】
本実施の形態によれば、接地シールド４ａの軸線方向の長さを中間電極５ａの軸線方向の長さ以上等としたので、他相の中心導体で発生する電界の影響を抑制し、自相の中心導体の電圧を高い精度で計測することができる。
【００３８】
なお、図９に示すように、接地シールド４ａの径方向の長さ（フランジ部の径方向の長さ）は、例えば中間電極５ａの径方向の長さよりも大きい。
【００３９】
本実施の形態のその他の効果は実施の形態１，２と同様である。また、本実施の形態と実施の形態２を組み合わせることもできる。
【産業上の利用可能性】
【００４０】
以上のように、本発明は、三相一括形のガス絶縁開閉装置に適用される計器用変圧器として有用である。
【符号の説明】
【００４１】
１  金属容器
２ａ〜２ｃ  中心導体
３  金属アダプタ
４ａ〜４ｃ  接地シールド
５ａ〜５ｃ  中間電極
６ａ〜６ｃ  信号線
７  絶縁気密端子
８  ＡＤ変換部
９  接合部
１０，１２  絶縁部材
１１  ボルト
１３  空隙部
１４  枝管
２０ａ〜２０ｃ  穴部
４１  フランジ部
４２  湾曲部
【図１】
2012160625.tif 000003
【図２】
2012160625.tif 000004
【図３】
2012160625.tif 000005
【図４】
2012160625.tif 000006
【図５】
2012160625.tif 000007
【図６】
2012160625.tif 000008
【図７】
2012160625.tif 000009
【図８】
2012160625.tif 000010
【図９】
2012160625.tif 000011
【図１０】
2012160625.tif 000012
【図１１】
2012160625.tif 000013
【図１２】
2012160625.tif 000014
【国際調査報告】
2012160625.tif 000015
2012160625.tif 000016
2012160625.tif 000017
2012160625.tif 000018